(57)【要約】【課題】座面部を昇降自在とし、座面部を跳ね上げることなく、さらに、座面部を前後方向に移動させることもなく、背もたれ部を充分にリクライニングさせることができる、座いすを提供する。【解決手段】座いす１０は、基枠１２に回動自在に支持される背面支持枠４２と、背面支持枠４２に接続され、背面支持枠４２に沿って変位可能な背面変位枠７６と、背面変位枠７６と連動可能で且つ基枠１２に対して固定可能な座枠１０４とを含む。背面変位枠７６には背もたれ部が装着され、座枠１０４には座面部が装着される。背面支持枠４２は揺動手段で傾倒可能に揺動され、背面変位枠７６は変位手段で背面支持枠４２に沿って昇降可能に変位する。座枠１０４が基枠１２に固定可能に配置されたとき、背面支持枠４２は傾倒可能となる。【選択図】      図１
2005052192.tif 000002
【特許請求の範囲】
【請求項１】
基枠、
前記基枠に回動自在に支持される背面支持枠、
前記背面支持枠に接続され、前記背面支持枠に沿って変位可能に配置されると共に、背もたれ部が装着される背面変位枠、
前記背面変位枠と連動可能に接続され、前記基枠に対して固定可能に配置されると共に、座面部が装着される座枠、
前記背面支持枠を前後に傾倒可能に揺動させる揺動手段、および
背面変位枠を前記背面支持枠に沿って昇降可能に変位させることによって、前記背面変位枠に連動する前記座枠を昇降可能に変位させる変位手段を含み、
前記座枠が前記基枠に固定されているときにのみ、前記揺動手段を駆動可能にして前記背面支持枠を傾倒可能にすることを特徴とする、座いす。
【請求項２】
前記背面変位枠は、前記背面支持枠に沿って前記背面変位枠を変位可能にする転動体を含み、
前記座枠は、座枠本体、および、その一方側が前記座枠本体に接続され、その他方側が前記背面変位枠に接続されると共に別の転動体を有するリンク部を含み、
前記背面支持枠は、前記転動体および前記別の転動体が前記背面支持枠に沿って転動可能に案内支持される案内レール部を含み、
前記座枠が前記基枠に固定可能に配置されたとき、前記リンク部の前記別の転動体は、前記背面変位枠の前記案内レール部からフリーとなって、前記基枠に当接され、前記背面変位枠が前記背面支持枠と共に傾倒可能となることを特徴とする、請求項１に記載の座いす。
【請求項３】
前記基枠と前記座枠とは、ロック部により固定可能に配置され、
前記ロック部は、
前記基枠の上面に配置され、上方に向いて開放される係合凹部と、
前記座枠本体の下面に配置され、前記係合凹部に係合可能となる係合凸部とを含むことを特徴とする、請求項２に記載の座いす。
【請求項４】
前記揺動手段は、その一方側が前記基枠に支持され、その他方側が前記背面支持枠に支持されるリクライニング用アクチュエータを含み、
前記変位手段は、その一方側が前記基枠に支持され、その他方側が前記背面変位枠に支持される昇降用アクチュエータを含むことを特徴とする、請求項１〜請求項３のいずれかに記載の座いす。
【請求項５】
前記リクライニング用アクチュエータおよび前記昇降用アクチュエータを制御する制御部を含み、
前記昇降用アクチュエータにより昇降自在となる前記座枠が、前記基枠に固定されたときにのみ、前記リクライニング用アクチュエータが駆動して前記背面変位枠がリクライニング可能となり、
前記背面変位枠をリクライニングさせた状態から元の状態に復帰させたときにのみ、前記昇降用アクチュエータが駆動して前記座枠が前記背面支持枠に沿って昇降可能となるように、前記制御部によって制御されることを特徴とする、請求項４に記載の座いす。
【発明の詳細な説明】
【０００１】
【発明の属する技術分野】
本願発明は、座いすに関する。
【０００２】
【従来の技術】
本願発明の背景となる従来の椅子には、座部と、該座部を昇降移動させる電動モータ等の昇降装置とを有し、座部の下面の前端近傍に、着座者の脚の膝部分の入り込みを感知して座部の下降を停止させる脚センサーを設けたものがある（例えば、特許文献１参照。）。
また、他の従来の椅子には、相互に一定角度に固定された座部と背部とを有する被昇降体が、ガイド柱枠体に昇降駆動自在に取付けられ、該ガイド柱枠体は、略鉛直状態と後方傾斜状態との間で揺動駆動されるように、床載置枠に枢着され、しかも、ガイド柱枠体の後面と床載置枠の後端部との間には、ガイド柱枠体を揺動駆動させる伸縮アクチュエータを配設したものがある（例えば、特許文献２参照。）。
さらに、他の従来の椅子には、固定背部に昇降自在に昇降部材を取付けると共に、背もたれ部と、昇降部材の上昇に伴って前傾する立上り補助用座部とを昇降部材に取付けたもので、該座部を前後進可能とし、且つ、該座部の前進に伴って背もたれ部が後傾するリクライニング機構を備えているものもある（例えば、特許文献３参照。）。
【０００３】
【特許文献１】
特開２０００−１５２８４２号公報
【特許文献２】
特開平１１−１２８０１４号公報
【特許文献３】
特開平７−６７７３９号公報
【０００４】
【発明が解決しようとする課題】
しかしながら、上記特許文献１に記載された椅子では、座部を昇降させ、座部の下降時に座部と床面との間に脚の膝下部分が挟み込まれることを防止できるが、背もたれを適宜自在にリクライニングさせることができない。
また、上記特許文献２に記載された椅子では、座部と背部とを有する被昇降体がガイド柱枠体に昇降駆動自在となり、そして、該ガイド柱枠体を後方へ傾動させることにより背部をリクライニングさせることができるけれども、この椅子では、座部と背部とが相互に一定角度に固定されているため、ガイド柱枠体を後方へ傾動させると、背部が後方へ傾斜すると共に座部が前上方に傾斜する、所謂、座部の跳ね上りが起こる。この場合、ガイド柱枠体の最大後方傾斜角度がたとえば４０°を超えると、着座した人の足先が宙に浮いて疲れ易くなったり、また、使用者が老人や病人などの場合には、悪戯に不安感を擁かせる恐れが生じる。
さらに、上記特許文献３に記載された椅子では、背もたれ部分をリクライニングするときに、リクライニングにともなって、座部が前後方向にスライドする。
つまり、座部を前後方向に移動させることによって、背もたれ部分が傾動してリクライニング可能な構造となっている。
ところが、この従来の技術では、座部に取付けられる移動枠体を前後方向にスライドさせるためのスペースが必要となるので、この椅子を狭い場所に置いた場合などは、使用しにくいものとなる。さらに、この椅子では、座部が前後に移動するためのスペースを必要とするリクライニング機構を採用しているため、製品自体のコンパクト化が困難である。その上、この特許文献３に記載された椅子では、前述したリクライニング構造を有するため、リクライニングできる範囲がせいぜい１３０°ぐらい迄しかできず、充分にリクライニングすることができないものであった。
【０００５】
それゆえに、本願発明の主たる目的は、座面部を昇降自在とし、座面部を跳ね上げることなく、さらに、座面部を前後方向に移動させることもなく、背もたれ部を充分にリクライニングさせることができる、座いすを提供することである。
【０００６】
【課題を解決するための手段】
請求項１にかかる本願発明は、基枠と、基枠に回動自在に支持される背面支持枠と、背面支持枠に接続され、背面支持枠に沿って変位可能に配置されると共に、背もたれ部が装着される背面変位枠と、背面変位枠と連動可能に接続され、基枠に対して固定可能に配置されると共に、座面部が装着される座枠と、背面支持枠を前後に傾倒可能に揺動させる揺動手段と、背面変位枠を背面支持枠に沿って昇降可能に変位させることによって、背面変位枠に連動する座枠を昇降可能に変位させる変位手段とを含み、座枠が基枠に固定されているときにのみ、揺動手段を駆動可能にして背面支持枠を傾倒可能にすることを特徴とする、座いすである。
請求項２にかかる本願発明は、請求項１にかかる発明に従属する発明であって、背面変位枠は、背面支持枠に沿って背面変位枠を変位可能にする転動体を含み、座枠は、座枠本体と、その一方側が座枠本体に接続され、その他方側が背面変位枠に接続されると共に別の転動体を有するリンク部とを含み、背面支持枠は、転動体および別の転動体が背面支持枠に沿って転動可能に案内支持される案内レール部を含み、座枠が基枠に固定可能に配置されたとき、リンク部の別の転動体は、背面変位枠の案内レール部からフリーとなって、基枠に当接され、背面変位枠が背面支持枠と共に傾倒可能となることを特徴とする、座いすである。
請求項３にかかる本願発明は、請求項２にかかる発明に従属する発明であって、基枠と座枠とは、ロック部により固定可能に配置され、ロック部は、基枠の上面に配置され、上方に向いて開放される係合凹部と、座枠本体の下面に配置され、係合凹部に係合可能となる係合凸部とを含むことを特徴とする、座いすである。
請求項４にかかる本願発明は、請求項１〜請求項３のいずれかにかかる発明に従属する発明であって、揺動手段は、その一方側が基枠に支持され、その他方側が背面支持枠に支持されるリクライニング用アクチュエータを含み、変位手段は、その一方側が基枠に支持され、その他方側が背面変位枠に支持される昇降用アクチュエータを含むことを特徴とする、座いすである。
請求項５にかかる本願発明は、請求項４にかかる発明に従属する発明であって、リクライニング用アクチュエータと昇降用アクチュエータとを制御する制御部を含み、昇降用アクチュエータにより昇降自在となる座枠が、基枠に固定されたときにのみ、リクライニング用アクチュエータが駆動して背面変位枠がリクライニング可能となり、背面変位枠をリクライニングさせた状態から元の状態に復帰させたときにのみ、昇降用アクチュエータが駆動して座枠が背面支持枠に沿って昇降可能となるように、制御部によって制御されることを特徴とする、座いすである。
［作用］
請求項１にかかる本願発明では、座枠が基枠に固定可能に配置されたときにだけ、揺動手段が駆動可能となり、それによって、背面支持枠は、基枠の前後方向に傾倒可能に揺動される。背面支持枠と接続された背面変位枠は、背面支持枠と共に傾倒可能に揺動される。つまり、背面変位枠に装着された背もたれ部が傾倒可能に揺動される。そのため、座枠に装着された座面部を跳ね上げることなく背面変位枠に装着された背もたれ部を前後にリクライニングさせることが可能となる。この場合、座枠は基枠に固定された状態となるため、座面部を前後に移動させることなく、背もたれ部をリクライニングさせることが可能となる。
また、請求項１にかかる本願発明では、変位手段によって、背面変位枠が背面支持枠に沿って昇降可能に変位する。そのため、背面変位枠と連動される座枠は、背面変位枠の変位に伴ない、背面支持枠に沿って、昇降可能に変位される。
請求項２にかかる本願発明では、リンク部によって、座枠と背面変位枠とがリンクされる。このとき、背面変位枠の転動体とリンク部の別の転動体とは、共に、背面支持枠の案内レール部に沿って案内され、昇降自在に変位される。座枠が基枠に固定可能に配置された場合、リンク部の別の転動体が背面変位枠の案内レール部から離間し、フリーとなって、基枠に当接される。この場合、揺動手段が駆動され、背面変位枠に装着された背もたれ部は、背面支持枠と共に傾倒可能となる。
請求項３にかかる本願発明では、基枠と座枠とがロック部によって固定可能に配置される。この場合、基枠の上に配置された係合凹部と、座枠の下に配置された係合凸部とが係合されることによって、基枠と座枠とがロックされる。そのため、座枠が基枠に固定され、座枠を跳ね上がることなく、背面支持枠が安定して傾倒可能に揺動される。
請求項４にかかる本願発明では、リクライニング用アクチュエータを作動させることによって、背面変位枠に装着された背もたれ部が傾倒可能に揺動される。昇降用アクチュエータを作動させることによって、背面変位枠が背面支持枠に沿って昇降可能に変位され、それに連動して、座枠も背面支持枠に沿って昇降可能に変位される。
請求項５にかかる本願発明では、制御部によって、リクライニング用アクチュエータと昇降用アクチュエータとが制御される。この場合、座枠が基枠に固定されたときにのみ、リクライニング用アクチュエータが駆動され、背もたれ部がリクライニング可能となる。また、背もたれ部がリクライニングさせた状態から元の状態に復帰したときにのみ、昇降用アクチュエータが駆動して座枠が背面支持枠に沿って昇降可能となる。
【０００７】
本願発明の上述の目的，その他の目的，特徴および利点は、図面を参照して行う以下の発明の実施の形態の詳細な説明から一層明らかとなろう。
【０００８】
【発明の実施の形態】
【実施例】
図１は、本願発明の一実施例を示す図解図であって、図１（Ａ）は、その正面図解図であり、図１（Ｂ）はその右側面図解図である。
本実施例にかかる座いす１０は、基枠１２を含む。基枠１２は、たとえば図４（Ａ）に示すように、長手方向を有する２つの縦フレーム１４ａおよび１４ｂを含む。２つの縦フレーム１４ａおよび１４ｂは、幅方向に所定の間隔を隔てて平行に配置される。２つの縦フレーム１４ａおよび１４ｂ間には、平面視たとえば横長矩形状のベースプレート１６が配設される。
また、２つの縦フレーム１４ａおよび１４ｂ間には、ベースプレート１６と間隔を隔てて１つの横フレーム１８が配設される。この場合、ベースプレート１６は、縦フレーム１４ａおよび１４ｂの長手方向の一方側寄りに配置され、横フレーム１８はその他方側寄りに配置される。
【０００９】
基枠１２の縦フレーム１４ａおよび１４ｂの上面には、それぞれ、その長手方向の中間部に、支持ブラケット２０ａおよび２０ｂが立ち設けられる。支持ブラケット２０ａおよび２０ｂは、図４（Ａ）に示すように、縦フレーム１４ａおよび１４ｂの長手方向の一方側寄りに配設される。支持ブラケット２０ａおよび２０ｂは、図４（Ａ），図４（Ｂ），図４（Ｃ）に示すように、たとえば４角筒状に形成され、高さ方向の上部に貫通孔２２ａおよび２２ｂを有する。
【００１０】
また、基枠１２のベースプレート１６の上面には、基枠１２と後述する座枠１０４とを固定可能にロックするロック部２４が配設される。ロック部２４は、図４（Ａ），図４（Ｂ），図４（Ｃ）に示すように、たとえば平面視矩形状の基部２６を含む。基部２６の幅方向の一端部および他端部には、それぞれ、係合凹部２８を有する係合プレート３０が配設される。係合プレート３０は、係合凹部２８が上方に向いて開放されるように、基部２６に対して垂直に立ち設けられる。
なお、本実施例では、基部２６および係合プレート３０が、たとえば一体的に形成されることにより、ロック部２４が形成される。ロック部２４は、その基部２６がボルト等の固着手段３２によりベースプレート１６に固着されて取付けられる。
【００１１】
さらに、基枠１２の横フレーム１８には、取付ブラケット３４が配設される。
取付ブラケット３４は、後述するリクライニング用アクチュエータとして用いられる電動シリンダ１４４の一方側を基枠１２に係止・固定するためのものである。
取付ブラケット３４は、図４（Ａ），図４（Ｂ），図４（Ｃ）に示すように、固定プレート３６を含み、固定プレート３４の両端部には、たとえばクレビス形の取付プレート３８が形成される。取付プレート３８は、貫通孔４０を有し、固定プレート３４に対して略垂直に配設される。
なお、本実施例では、取付プレート３８が固定プレート３６に溶接等の固着手段により固着され、さらに、固定プレート３６が、同様の固着手段で、図４（Ａ）に示すように、横フレーム１８の内側の側壁面に固着される。
【００１２】
また、本実施例にかかる座いす１０は、基枠１２に回動自在に支持される背面支持枠４２を含む。背面支持枠４２は、図５（Ａ），図５（Ｂ），図５（Ｃ）に示すように、たとえば断面方形で筒状の２つの支柱部材４４および４６を含む。
２つの支柱部材４４および４６は、所定の間隔を隔てて平行に配置される。２つの支柱部材４４および４６間には、特に、図５（Ａ），図５（Ｃ）に示すように、支柱部材４４，４６の背面で長手方向の一方側および他方側に、それぞれ、横桟部材４８および５０が配設される。
【００１３】
さらに、２つの支柱部材４４および４６の正面には、特に、図５（Ａ），図５（Ｂ）に示すように、たとえば平面視断面Ｕ字状で長さ方向を有する案内レール部５２および５４が配設される。案内レール部５２および５４には、後述する４つのガイドローラ９８が、該案内レール部５２および５４に沿って、転動可能に案内支持されるものである。
【００１４】
また、２つの支柱部材４４および４６の外面には、それぞれ、たとえば回動ブラケット５６および５８が配設される。回動ブラケット５６および５８は、それぞれ、その一端側の両側主面を貫通する貫通孔６０および６２を有する。さらに、回動ブラケット５６および５８の他端側の一方主面が、支柱部材４４および４６の外面に、それぞれ、溶接等の固着手段により固着される。
【００１５】
回動ブラケット５６および５８は、その一端側が、図４（Ａ），図４（Ｂ），図４（Ｃ）に示した基枠１２の支持ブラケット２０ａおよび２０ｂに、それぞれ、回動自在に支持される。
本実施例では、回動ブラケット５６および５８の貫通孔６０および６２と、支持ブラケット２０ａおよび２０ｂの貫通孔２２ａおよび２２ｂとに、たとえば図１（Ｂ），図２に示すように、ピン，ボルト等を含む回動軸部６４が挿通・支持されることによって、背面支持枠４２が基枠１２に対して回動自在に支持される。
【００１６】
また、背面支持枠４２の横桟部材５０には、その長手方向の略中央に、係止アーム６６が配設される。係止アーム６６は、後述するリクライニング用アクチュエータとして用いられる電動シリンダ１４４の他方側を背面支持枠４２に係止・固定すると共に、後述する昇降用アクチュエータとして用いられる電動シリンダ１５６の一方側を背面支持枠４２に係止・固定するためのものである。
【００１７】
係止アーム６６は、図５（Ｂ），図５（Ｃ）に示すように、間隔を隔てて平行に対向配置され、長手方向を有する２つのリンクプレート６８を含む。２つのリンクプレート６８は、それぞれ、その長手方向の一方側に貫通孔７０を有し、その長手方向の他方側が、横桟部材５０のたとえば下面に、溶接等の固着手段により固着される。さらに、２つのリンクプレート６８は、その間に配置された矩形状の固定片７２により固定・支持される。
【００１８】
さらに、２つのリンクプレート６８の長手方向の他方側には、２つの取付ブラケット７４が連接して配設される。２つの取付ブラケット７４は、横桟部材５０の正面に固定される。２つの取付ブラケット７４は、それぞれ、クレビス形に形成され、その先端側に貫通孔（図示せず）を有する。２つの取付ブラケット７４の根元側は、横桟部材５０の正面に溶接等の固着手段により固着される。
なお、本実施例では、２つのリンクプレート６８と１つの固定片７２と２つの取付ブラケット７４がたとえば一体的に形成される。
【００１９】
また、本実施例にかかる座いす１０は、背面支持枠４２に接続され、該背面支持枠４２に沿って上下方向（鉛直方向）に変位可能に配置される背面変位枠７６を含む。背面変位枠７６は、図６（Ａ），図６（Ｂ），図６（Ｃ）に示すように、たとえば断面矩形で筒状の２つのスライド部材７８および８０を含む。２つのスライド部材７８および８０は、所定の間隔を隔てて平行に配置される。２つのスライド部材７８および８０間には、特に、たとえば図６（Ａ），図６（Ｂ）に示すように、２つのスライド部材７８および８０間で、その長手方向の一方側（高さ方向の上方側）およびその長手方向（高さ方向）の中間部に、それぞれ、断面矩形で筒状の支持桟部材８２および８４が配設される。
【００２０】
さらに、背面変位枠８６には、図６（Ａ），図６（Ｃ）に示すように、その支持桟部材８２に取付ブラケット８６が配設される。取付ブラケット８６は、支持桟部材８２の背面側でその長手方向の略中央に配設される。取付ブラケット８６は、後述する昇降用アクチュエータとして用いられる電動シリンダ１５６の他方側を背面変位枠７６に係止・固定するためのものである。
【００２１】
取付ブラケット８６は、図６（Ａ）に示すように、固定片８８を含み、固定片８８の両端部には、たとえばクレビス形の取付片９０が形成される。取付片９０は、貫通孔９２を有し、固定片８８に対して略垂直に配設される。なお、本実施例では、取付片９０が固定片８８に溶接等の固着手段により固着され、さらに、固定片８８が、同様の固着手段で、図６（Ａ）に示すように、支持桟部材８２の背面に固着される。
【００２２】
また、背面変位枠７６には、図６（Ａ），図６（Ｃ）に示すように、該背面変位枠７６と後述する座枠１０４とを連動可能に接続する２つの接続ブラケット９４が配設される。一方の接続ブラケット９４は、スライド部材７８の長手方向の他方側（高さ方向の下方側）に配設され、他方の接続ブラケット９４は、スライド部材８０の長手方向の他方側（高さ方向の下方側）に配設される。２つの接続ブラケット９４は、それぞれ、特に、たとえば図６（Ｃ）に示すように、たとえば略Ｕ字形のプレートで形成され、その先端側に貫通孔９６を有するものであり、その根元側の一方主面が、スライド部材７８および８０の外側面に、ピン，ボルト等の取付手段により取付けられる。２つの接続ブラケット９４は、図６（Ａ），図６（Ｃ）に示すように、それぞれ、スライド部材７８および８０の側面に略直角に取付けられる。
【００２３】
さらに、背面変位枠７６には、該背面変位枠７６を上述した背面支持枠４２に沿って変位可能にする転動体として、たとえば４つのガイドローラ９８を含む。
４つのガイドローラ９８は、図６（Ａ），図６（Ｃ）に示すように、スライド部材７８および８０に配置される。４つのガイドローラ９８の内、２つのガイドローラ９８は、スライド部材７８の長手方向の中間部に間隔を隔てて配設され、他の２つのガイドローラ９８は、スライド部材８０の長手方向の中間部に間隔を隔てて配設される。
【００２４】
４つのガイドローラ９８は、それぞれ、支持軸部１００によって回動自在に支持され、各支持軸部１００は、それぞれ、スライド部材７８および８０に固定・支持される。この場合、スライド部材７８および８０の長手方向の他方端側（高さ方向の下方端側）寄りに配置されるガイドローラ９８は、特に、たとえば接続ブラケット９４を介して、スライド部材７８および８０に支持される。さらに、一方の接続ブラケット９４および他方の接続ブラケット９４は、それぞれ、後述する座枠１０４のリンク部１１４および１１６に接続されるものである。
【００２５】
また、背面変位枠７６には、図６（Ａ），図６（Ｂ），図６（Ｃ）に示すように、該背面変位枠７６に背もたれ部（図示せず）を装着するために、たとえば４つの装着ブラケット１０２が配設される。４つの装着ブラケット１０２は、たとえば図６（Ａ），図６（Ｃ）に示すように、それぞれ、一辺部１０２ａと他辺部１０２ｂとを有し、たとえば断面Ｌ字状に形成される。さらに、４つの装着ブラケット１０２の一辺部１０２ａは、それぞれ、貫通孔１０２ｃを有する。
【００２６】
４つの装着ブラケット１０２は、たとえば図６（Ｂ）に示すように、その内の２つの装着ブラケット１０２がスライド部材７８の長手方向の中間部に間隔を隔てて配設され、他の２つの装着ブラケット１０２がスライド部材８０の長手方向の中間部に間隔を隔てて配設される。この場合、２つの装着ブラケット１０２は、それぞれ、その他辺部１０２ｂがスライド部材７８の内側面に、他の２つの装着ブラケット１０２は、それぞれ、その他辺部１０２ｂがスライド部材８０の内側面に、溶接等の固着手段により固着される。
なお、背もたれ部（図示せず）は、背面変位枠７６の正面側に配置され、４つの装着ブラケット１０２の貫通孔１０２ｃに挿通される取付ビス，取付ボルト等を含む装着手段（図示せず）により、適宜、装着される。
【００２７】
さらに、本実施例にかかる座いす１０は、図７（Ａ），図７（Ｂ），図７（Ｃ）に示すように、座枠１０４を含む。座枠１０４は、上述した背面変位枠７６と連動可能に接続されると共に、基枠１２に対して固定可能に配置される。座枠１０４は、図７（Ａ）に示すように、たとえば平面視矩形枠状の座枠本体１０６を含み、座枠本体１０６は、たとえば平面視Ｕ字状の屈曲フレーム１０８を含む。
屈曲フレーム１０８は、たとえば断面方形で角筒状の３つの部材１０８ａ，１０８ｂ，１０８ｃにより形成される。屈曲フレーム１０８の両端部間には、該屈曲フレーム１０８を平面視Ｕ字状に保持する保持部材１１０が架け設けられる。保持部材１１０と、該保持部材１１０と対向する屈曲フレーム１０８の部材１０８ｃとの間には、それらの長手方向に所定の間隔を隔てて、たとえば２つの補強架設部材１１２が平行に配置される。
【００２８】
座枠１０４の保持部材１１０には、図７（Ａ），図７（Ｂ），図７（Ｃ）に示すように、その長手方向の中間部に所定の間隔を隔てて、たとえば２つのリンク部１１４および１１６が配設される。２つのリンク部１１４および１１６は、それぞれ、その一方側が座枠本体１０６に接続され、その他方側が上述した背面変位枠７６に連動可能に接続される。
【００２９】
２つのリンク部１１４および１１６は、同様の構造および機能を有するので、本実施例では、一方のリンク部１１６について詳細に説明する。リンク部１１６は、たとえば図７（Ｃ）に示すように、長さ方向を有するプレート状の第１リンクアーム１１８を含む。第１リンクアーム１１８の長さ方向の一端側には、長さ方向を有するプレート状の第２リンクアーム１２０が配置される。第２リンクアーム１２０は、その長さ方向の両側に貫通孔（図示せず）を有するものである。第１リンクアーム１１８および第２リンクアーム１２０は、第１リンクアーム１１８と第２リンクアーム１２０とが略直角に配置されるように一体的に形成される。この場合、第１リンクアーム１１８の長さ方向の一端側と、第２リンクアーム１２０の長さ方向の中間で且つその幅方向の一端側とは、たとえば図７（Ｃ）に示すように、リンク部１１６が側面視Ｔ字状になるように接続される。
なお、もう一方のリンク部１１４も、同様の構造および機能を備えた第１リンクアーム１１８および第２リンクアーム１２０を有するものである。
【００３０】
さらに、リンク部１１４および１１６においては、第１リンクアームの長さ方向の他端側が、溶接、ボルト・ナット等の固着手段により、座枠１０４の保持部材１１０に固着される。また、第２リンクアーム１２０の長さ方向の一端側は、特に、たとえば図９および図１２に示すように、背面変位枠７６の一方の接続ブラケット９４に接続される。接続ブラケット９４と第２リンクアーム１２０とは、ボルト，ナット，その他適宜な取付手段１２２により取付けられる。
さらに、第２リンクアーム１２０の長さ方向の他端側には、たとえば図７，図８および図９に示すように、転動体としてのたとえばガイドローラ１２４が配設される。ガイドローラ１２４は、支持軸部１２６により、第２リンクアーム１２０に回動自在に支持される。
【００３１】
また、座枠１０４の保持部材１１０には、基枠１２のロック部２４と協働して、基枠１２と座枠１０４とを固定可能にロックするもう一方のロック部１２８が配設される。ロック部１２８は、図７（Ａ），図７（Ｂ），図７（Ｃ）に示すように、保持部材１１０の長手方向の中間部でその下面にたとえば１つ配設される。ロック部１２８は、基枠１２のロック部２４の配設位置と略対応する位置に配設される。ロック部１２８は、保持部材１１０の下面から真っ直ぐ下に向いて延び設けられるたとえば２つの突出支持アーム１３０を含む。２つの突出支持アーム１３０は、長さ方向を有し、所定の間隔を隔てて平行に対向配置される。２つの突出支持アーム１３０の長さ方向の先端側には、係合凸部としてのたとえば係合ローラ１３２が回動自在に配置される。係合ローラ１３２は、支持軸部１３４により、突出支持アーム１３０に回動自在に支持され、且つ、抜け止め部１３６で抜け止めされる。係合ローラ１３２は、基枠１２のロック部２４の係合凹部２８と係合可能となるように、該係合凹部２８の略上方に配置される。
【００３２】
また、座枠１０４の座枠本体１０６には、座面部（図示せず）が、適宜、ビス，ボルト・ナット，リベット等の装着手段（図示せず）により装着される。
さらに、座枠本体１０６には、たとえば図１（Ａ），図１（Ｂ），図２および図３に示すように、屈曲フレーム１０８の部材１０８ａおよび１０８ｂに、それぞれ、肘掛部１３８ａおよび１３８ｂが配設される。一方の肘掛部１３８ａは、たとえば４つの装着ブラケット１４０ａによって、屈曲フレーム１０８の一方の部材１０８ａに装着・固定され、他方の肘掛部１３８ｂも、同様に、４つの装着ブラケット１４０ｂによって、屈曲フレーム１０８の他方の部材１０８ｂに装着・固定される。各装着ブラケット１４０ａ，１４０ｂは、図１（Ｂ），図２，図３に示すように、ボルト，ビス等の固着手段１４２ａ，１４２ｂにより、肘掛部１３８ａおよび１３８ｂと固着される。
【００３３】
また、本実施例にかかる座いす１０は、特に、たとえば図２，図１３，図１４に示すように、背面支持枠４２を前後に傾倒可能にリクライニングさせる揺動手段として、電動シリンダ、空気圧シリンダおよび油圧シリンダ等のリクライニング用アクチュエータを含む。本実施例では、図１（Ａ），図１（Ｂ），図２，図３，図８，図１１，図１３，図１４に示すように、リクライニング用アクチュエータとして、たとえば電動シリンダ１４４が用いられる。この電動シリンダ１４４は、モータ（図示せず）およびボールねじ（図示せず）等を装備するものである。電動シリンダ１４４は、そのシリンダ端末にピストンロッド１４６の中心線に対して直角方向のピン孔を有するクレビス形支持部１４８が配設され、ピストンロッド１４６の先端部に同様のクレビス形支持部１５０が配設される。
【００３４】
電動シリンダ１４４は、その一方側である端末がクレビス形支持部１４８によって基枠１２の取付ブラケット３４に支持され、その他方側であるピストンロッド１４６の先端部がクレビス形支持部１５０によって背面支持枠４２の係止アーム６６に支持される。この場合、一方のクレビス形支持部１４８は、取付ブラケット３４の２つの取付プレート３８間に配置され、取付ボルト・ナット，取付ピン等の取付手段１５２で回動自在に取付けられる。他方のクレビス形支持部１５０は、係止アーム６６の２つのリンクプレート６８間に配置され、取付ボルト・ナット，取付ピン等の取付手段１５４で回動自在に取付けられる。
電動シリンダ１４４が駆動されることにより、ピストンロッド１４６が所定のストロークで往復直線運動可能となる。それによって、背面支持枠４２は、回動軸部６４を支点にして、基枠１２の前後方向に傾倒可能に揺動運動可能となる。
そのため、背面支持枠４２に接続される背面変位枠７６も、背面支持枠４２と共に揺動運動可能となる。
【００３５】
さらに、本実施例にかかる座いす１０は、特に、たとえば図３，図１１，図１２に示すように、背面変位枠７６を背面支持枠４２に沿って昇降可能に変位させ、背面変位枠７６に連動する座枠１０４を昇降可能に変位させる変位手段として、電動シリンダ、空気圧シリンダおよび油圧シリンダ等の昇降用アクチュエータを含む。本実施例では、図１（Ａ），図１（Ｂ），図２，図３，図８，図９，図１０，図１１，図１２に示すように、昇降用アクチュエータとして、たとえば電動シリンダ１５６が用いられる。この電動シリンダ１５６は、モータ（図示せず）およびボールねじ（図示せず）等を装備するものである。電動シリンダ１５６は、そのシリンダ端末にピストンロッド１５８の中心線に対して直角方向のピン孔を有するクレビス形支持部１６０が配設され、ピストンロッド１５８の先端部に同様のクレビス形支持部１６２が配設される。
【００３６】
電動シリンダ１５６は、その一方側である端末がクレビス形支持部１６０によって基枠１２の係止アーム６６に支持され、その他方側であるピストンロッド１５８の先端部がクレビス形支持部１６２によって背面支持枠４２の取付ブラケット８６に支持される。この場合、一方のクレビス形支持部１６０は、係止アーム６６の２つの取付ブラケット７４間に配置され、取付ボルト・ナット，取付ピン等の取付手段（図示せず）で回動自在に取付けられる。他方のクレビス形支持部１６２は、取付ブラケット８６の２つの取付片９０間に配置され、取付ボルト・ナット，取付ピン等の取付手段１６４で回動自在に取付けられる。
電動シリンダ１５６が駆動されることによって、ピストンロッド１５８が所定のストロークで往復直線運動となる。それによって、背面変位枠７６のガイドローラ９８は、背面支持枠４２の案内レール部５２，５４に沿って変位可能となる。そのため、背面変位枠７６は、該背面変位枠７６と連動可能に接続される座枠１０４と共に、背面支持枠４２に沿って昇降自在となる。
【００３７】
さらに、本実施例にかかる座いす１０は、たとえば図１，図２，図３に示すように、リクライニング用アクチュエータとしての電動シリンダ１４４、および、昇降用アクチュエータとしての電動シリンダ１５６を制御する制御部１６６を含む。本実施例では、制御部１６６が電動シリンダ１５６の近傍に配設され、制御部１６６は、電動シリンダ１４４および電動シリンダ１５６に電気的且つ機械的に接続される。
本実施例では、電動シリンダ１５６のピストンロッド１５８のストロークがたとえば最小になったときにのみ、電動シリンダ１４４が駆動可能となり、電動シリンダ１４４のピストンロッド１４６のストロークがたとえば最大になったときのみ、電動シリンダ１５６が駆動可能となるように、制御部１６６によって、電動シリンダ１４４および電動シリンダ１５６が電気的に制御される構成となっている。
【００３８】
本実施例では、たとえば図１（Ａ），図１（Ｂ），図８，図１３に示すように、特に、リンク部１１４および１１６によって、座枠１０４と背面変位枠７６とがリンクされる。この場合、背面変位枠７６のガイドローラ９８とリンク部１１４および１１６のガイドローラ１２４とは、たとえば図１２に示すように、背面支持枠７６の案内レール部５２および５４に沿って案内され、昇降自在に変位される。このとき、座枠１０４に装着された座面部（図示せず）も、背面変位枠７６と共に、案内レール部５２および５４に沿って、昇降自在に変位される。
【００３９】
本実施例では、図８，図９，図１３，図１４等に示すように、基枠１２と座枠１０４とがロック部２４およびもう一方のロック部１２８によって固定可能に配置される。すなわち、基枠１２の上に配置された係合凹部２８と、座枠１０４の下に配置された係合ローラ１３２とが係合されることによって、基枠１２と座枠１０４とがロックされる。
【００４０】
この場合、リンク部１１４および１１６のガイドローラ１２４が背面変位枠７６の案内レール部５２および５４から離間し、フリーとなって、基枠１２に当接される。さらに、電動シリンダ１４４が駆動され、背面変位枠７６に装着された背もたれ部（図示せず）は、背面支持枠７６と共に基枠１２の前後に傾倒可能となる。すなわち、本実施例では、座枠１０４を基枠１２にロックすることが可能となるため、座枠１０４を跳ね上げることなく、背もたれ部（図示せず）を背面支持枠７６と共に安定して充分に傾倒可能に揺動させることができる。なお、発明者の実験によれば、本実施例にかかる座いす１０の背面変位枠７６をリクライニングさせた場合、座枠１０４と背面変位枠７６との角度は、略１７０度と、充分なものであった。
【００４１】
しかも、本実施例では、上述したように、電動シリンダ１４４および電動シリンダ１５６が制御部１６６によって電気的に制御されるため、電動シリンダ１５６のピストンロッド１５８のストロークがたとえば最小になったときにのみ、電動シリンダ１４４が駆動可能となって背面変位枠７６がリクライニング可能となり、電動シリンダ１４４のピストンロッド１４６のストロークがたとえば最大になったときのみ、電動シリンダ１５６が駆動可能とって座枠１０４が昇降可能とすることができる。
【００４２】
すなわち、本実施例では、電動シリンダ１５６により昇降自在となる座枠１０４が、基枠１２に固定されたときにのみ、電動シリンダ１４４が駆動して、背面変位枠７６がリクライニング可能とし、さらに、背面変位枠７６をリクライニングさせた状態から元の状態（リクライニングさせる前の状態）に復帰させたときにのみ、電動シリンダ１５６が駆動して、座枠１０４が背面支持枠４２に沿って昇降可能とすることができる。
【００４３】
【発明の効果】本願発明によれば、座面部を昇降自在とし、座面部を跳ね上げることなく、さらに、座面部を前後方向に移動させることもなく、背もたれ部を充分にリクライニングさせることができる、座いすが得られる。
【図面の簡単な説明】
【図１】本願発明の一実施例を示す図解図であって、図１（Ａ）は、その正面図解図であり、図１（Ｂ）はその右側面図解図である。
【図２】図１（Ａ），図１（Ｂ）に示す座いすの背もたれをリクライニングさせた状態を示す右側面拡大図解図である。
【図３】図１（Ａ），図１（Ｂ）に示す座いすの座面を上昇させた状態を示す右側面拡大図解図である。
【図４】図１（Ａ），図１（Ｂ），図２および図３に示す座いすの基枠の一例を示す図解図であって、図４（Ａ）はその平面図解図であり、図４（Ｂ）はその正面面図解図であり、図４（Ｃ）はその右側面図解図である。
【図５】図１（Ａ），図１（Ｂ），図２および図３に示す座いすの背面支持枠の一例を示す図解図であって、図５（Ａ）はその平面図解図であり、図５（Ｂ）はその正面図解図であり、図５（Ｃ）はその右側面図解図である。
【図６】図１（Ａ），図１（Ｂ），図２および図３に示す座いすの背面変位枠の一例を示す図解図であって、図６（Ａ）はその平面図解図であり、図６（Ｂ）はその正面図解図であり、図６（Ｃ）はその右側面図解図である。
【図７】図１（Ａ），図１（Ｂ），図２および図３に示す座いすの座枠の一例を示す図解図であって、図７（Ａ）はその平面図解図であり、図７（Ｂ）はその正面図解図であり、図７（Ｃ）はその右側面図解図である。
【図８】図１（Ａ），図１（Ｂ），図２および図３で示された座いすの通常時に於ける状態を示す要部右側面図解図である。
【図９】図１（Ａ），図１（Ｂ），図２および図３で示された座いすの通常時に於ける状態を示す他の要部右側面図解図である。
【図１０】図１（Ａ），図１（Ｂ），図２および図３で示された座いすの座枠の上昇開始時に於ける状態を示す要部右側面図解図である。
【図１１】図１（Ａ），図１（Ｂ），図２および図３で示された座いすの座枠の上昇完了時に於ける状態を示す要部右側面図解図である。
【図１２】図１（Ａ），図１（Ｂ），図２および図３で示された座いすの座枠の上昇完了時に於ける状態を示す他の要部右側面図解図である。
【図１３】図１（Ａ），図１（Ｂ），図２および図３で示された座いすのリクライニング時に於ける状態を示す要部右側面図解図である。
【図１４】図１（Ａ），図１（Ｂ），図２および図３で示された座いすのリクライニング時に於ける状態を示す他の要部右側面図解図である。
【符号の説明】
１０  座いす
１２  基枠
１４ａ，１４ｂ  縦フレーム
１６  ベースプレート
１８  横フレーム
２０ａ，２０ｂ  支持ブラケット
２２ａ，２２ｂ  支持ブラケットの貫通孔
２４  一方のロック部
２６  基部
２８  係合凹部
３０  係合プレート
３２  固着手段
３４  取付ブラケット
３６  固定プレート
３８  取付プレート
４０  取付プレートの貫通孔
４２  背面支持枠
４４，４６  支柱部材
４８，５０  横桟部材
５２，５４  案内レール部
５６，５８  回動ブラケット
６０，６２  回動ブラケットの貫通孔
６４  回動軸部
６６  係止アーム
６８  リンクプレート
７０  リンクプレートの貫通孔
７２  固定片
７４  取付ブラケット
７６  背面変位枠
７８，８０  スライド部材
８２，８４  支持桟部材
８６  取付ブラケット
８８  固定片
９０  取付片
９２  取付片の貫通孔
９４  接続ブラケット
９６  接続ブラケットの貫通孔
９８  ガイドローラ
１００  ガイドローラの支持軸部
１０２  装着ブラケット
１０２ａ  装着ブラケットの一辺部
１０２ｂ  装着ブラケットの他辺部
１０２ｃ  装着ブラケットの貫通孔
１０４  座枠
１０６  座枠本体
１０８  屈曲フレーム
１０８ａ，１０８ｂ，１０８ｃ  屈曲フレームを形成する部材
１１０  保持部材
１１２  補強架設部材
１１４，１１６  リンク部
１１８  第１リンクアーム
１２０  第２リンクアーム
１２２  取付手段
１２４  ガイドローラ
１２６  第２リンクアームのガイドローラの支持軸部
１２８  もう一方のロック部
１３０  突出支持アーム
１３２  係合ローラ
１３４  係合ローラの支持軸部
１３６  抜け止め部
１３８ａ，１３８ｂ  肘掛部
１４０ａ，１４０ｂ  装着ブラケット
１４２ａ，１４２ｂ  固着手段
１４４，１５６  電動シリンダ
１４６，１５８  ピストンロッド
１４８，１５０，１６０，１６２  クレビス形支持部
１５２，１５４，１６４  取付手段
１６６  制御部
【図１】
2005052192.tif 000003
【図２】
2005052192.tif 000004
【図３】
2005052192.tif 000005
【図４】
2005052192.tif 000006
【図５】
2005052192.tif 000007
【図６】
2005052192.tif 000008
【図７】
2005052192.tif 000009
【図８】
2005052192.tif 000010
【図９】
2005052192.tif 000011
【図１０】
2005052192.tif 000012
【図１１】
2005052192.tif 000013
【図１２】
2005052192.tif 000014
【図１３】
2005052192.tif 000015
【図１４】
2005052192.tif 000016